(57)【特許請求の範囲】
【請求項１】
幅広から幅狭にスリットした感光材料ウエブを、巻芯に巻き取ってロール状態で支持するウエブ支持装置において、
フレームと、
前記フレームに回転自在に支持されると共に巻芯が装着された巻取軸と、
前記フレームに回転自在に支持されると共に別設の外部駆動系に連結する伝動軸と、
前記伝動軸の動力を前記巻取軸に伝達する伝達手段と、
前記巻芯に巻き取った感光材料ウエブを光密状態で収納する遮光ケーシングと、を備え、
前記遮光ケーシングは、
前記フレームに支持されると共に上面に前記感光材料ウエブの巻取り或いは巻き戻しをする開口を有する収納ケースと、
前記収納ケースの前記開口を光密状態で閉成するシャッター部材と、を有することを特徴とするウエブロール支持装置。
【請求項２】
前記収納ケースは円筒形状をその中心軸線より上部で中心軸線に沿って切断して上面に前記開口を有する半割れ円筒形状に形成され、
前記シャッター部材は前記収納ケースの内周面と略同じ大きさの半割れ円筒形状に形成されて前記収納ケースに収納可能に設けられると共に、前記収納ケースの内周面に沿って旋回可能であることを特徴とする請求項１のウエブロール支持装置。
【請求項３】
前記シャッター部材で前記収納ケースの上面開口を閉成した際に前記シャッター部材の開成動作をロックするロック機構を有することを特徴とする請求項１又は２のウエブロール支持装置。
【請求項４】
前記シャッター部材の両端側面と前記フレームとの隣接面はラビリンス構造により遮光されることを特徴とする請求項１〜３の何れか１のウエブロール支持装置。
【請求項５】
前記フレームには、前記伝動軸に前記外部駆動系を連結するための切欠部が形成されていることを特徴とする請求項１〜４の何れか１のウエブロール支持装置。
【請求項６】
前記フレームには、フォークリフトの爪が出入り可能な挿入口が形成されていることを特徴とする請求項１〜５の何れか１のウエブロール支持装置。
【発明の詳細な説明】
【０００１】
【発明の属する技術分野】
本発明はウエブロール支持装置に係り、特に感光材料のウエブロールを、運搬、保管等のために巻き取って支持するウエブロール支持装置の遮光構造に関する。
【０００２】
【従来の技術】
ウエブロール支持装置は、広幅のウエブを所望の狭幅のウエブに細断するウエブスリッタ装置の一部として用いられ、細断された狭幅のウエブを巻き取ってロール状にしたウエブロールを所定の場所に運搬したり、次に使用するまで保管する装置として使用される。
【０００３】
従来のウエブロール支持装置としては、本出願人が特開昭５４−５３７５７号公報において開示したものがあり、一対のサイドフレームに巻芯を装着した巻取軸を回転自在に軸支し、この巻取軸を動力伝達手段を介して別設の動力源で回転駆動することによりウエブを巻き取ると共に、巻き取ったウエブロールを運搬、保管できるようにしたものである。そして、この装置で感光材料のウエブを巻き取り、暗室以外での運搬、保管を行う場合にはウエブロールに遮光用の布を巻き付けてウエブロールが感光するのを防止している。
【０００４】
【発明が解決しようとする課題】
しかしながら、感光材料のウエブを取り扱う場合にウエブロールに遮光用の布を巻き付ける従来のウエブロール支持装置は以下の欠点がある。
▲１▼布でウエブロールを完全に覆い隠すようにする巻き付け作業が難しい。
▲２▼布を使用する度に、布に孔空き等の損傷（遮光不良部分）がないかをチェックしなければならず面倒である。
▲３▼巻き付け作業ミスを考慮し、暗室以外での運搬、保管を行った後に感光有り無しのチェック試験を必ず行わなくてはならず効率的でない。更に、このチェック試験で感光されているという結果が出た場合はウエブロール全体が不良品となり生産ロスが増大する。
【０００５】
本発明はこのような事情に鑑みてなされたもので、感光材料のウエブロールを収納して簡単で且つ確実に遮光できるコンパクトな遮光ケーシングを備えたウエブロール支持装置を提供することを目的とする。
【０００６】
【課題を解決する為の手段】
本発明は、前記目的を達成する為に、幅広から幅狭にスリットした感光材料ウエブを、巻芯に巻き取ってロール状態で支持するウエブ支持装置において、フレームと、前記フレームに回転自在に支持されると共に巻芯が装着された巻取軸と、前記フレームに回転自在に支持されると共に別設の外部駆動系に連結する伝動軸と、前記伝動軸の動力を前記巻取軸に伝達する伝達手段と、前記巻芯に巻き取った感光材料ウエブを光密状態で収納する遮光ケーシングと、を備え、前記遮光ケーシングは、前記フレームに支持されると共に上面に前記感光材料ウエブの巻取り或いは巻き戻しをする開口を有する収納ケースと、前記収納ケースの前記開口を光密状態で閉成するシャッター部材と、を有することを特徴とする。
【０００７】
本発明によれば、ウエブは遮光ケーシング内において巻芯に巻き取られてウエブロールを形成し、巻芯に巻き取られたウエブロールは遮光ケーシング内に光密状態で収納保管されるので、ウエブロールの遮光を容易且つ確実に行うことができる。
【０００８】
【発明の実施の形態】
以下添付図面に従って本発明に係るウエブロール支持装置の好ましい形態について詳説する。
図１は、本発明に係るウエブロール支持装置の側面図で、図面手前のサイドフレームの一部を切り欠いて内部を示した。また、図２はウエブロール支持装置の正面図で、収納ケースの一部を切り欠いて内部を示した。
【０００９】
これらの図に示すように、本発明のウエブロール支持装置１０は、底部部材１２と、底部部材１２を共通基盤として対向して立設された一対のサイドフレーム１４、１４と、該サイドフレーム１４、１４の中央から若干上方に取り付けられた一対の軸受１６、１６により回転自在に支持された巻取軸１８と、該巻取軸１８に装着された巻芯２０と、前記巻取軸１８を回転駆動するため図示しない別設の外部駆動系の動力源を伝達する伝動手段２２及び前記巻芯２０に巻回されたウエブロール２４を収納して遮光する遮光ケーシング２６とで構成される。
【００１０】
前記底部部材１２は、上下両面が本装置全体の荷重に耐えられるような強度を有した鉄板で覆われ、且つ運搬手段の一部であるフォークリフトの爪２８が出入り可能な挿入口３０を設けた、所謂パレット構造に形成される。
前記一対のサイドフレーム１４、１４は、底部部材１２を共通基礎として対向して立設され、サイドフレーム１４、１４同士は、巻芯２０に巻回されるウエブロール２４の幅寸法よりも大きく離間して形成されると共に、ウエブロール２４の幅方向中心線と平行に直立するように設けられる。
【００１１】
前記巻芯２０は、その外周面上に単一のウエブロール２４を形成するに足るだけの面長を有して形成される。
前記伝動手段２２は、サイドフレーム１４、１４の右下方（図１において）を貫通し、且つサイドフレーム１４、１４に取り付けられた一対の伝動手段用軸受３２、３２により回転自在に軸支された伝動軸３４と、サイドフレーム１４、１４の外側に突出した伝動軸３４の両軸端にそれぞれ装着された平歯車３６及びベルト車３８と、該ベルト車３８と同じ方向にサイドフレーム１４より突出した巻取軸１８の一方端に装着されたベルト車４０と、ベルト車同志３８、４０の間に張設された無端状ベルト４２とから構成される。
【００１２】
また、サイドフレーム１４、１４には、前記平歯車３６の一部が前述した外部駆動系の一部である平歯車（図示せず）と噛合可能なように切欠部４４が設けられると共に、図２の前面下方、両端面下方及び底部にそれぞれ前記ウエブロールに対する前記巻芯２０の位置決め精度を保証するための平坦なガイド兼ストッパー４６、４８、５０が突出されている。
【００１３】
次に、本発明の改良部分である遮光ケーシング２６について説明する。
図３（図３の左側軸受部分で縦方向に切断して内部を示した図）に示すように、遮光ケーシング２６は、主としてウエブの巻取り或いは巻き戻すための開口５２を有し、前記巻芯２０に巻回されたウエブロール２４を収納する収納ケース５４と、前記開口５２の一方側端部から他方側縁部に向けて引っ張り操作されることにより前記開口５２を塞ぐシャッター部材５６と、から構成されると共に、遮光ケーシング２６は外部からの光の侵入を確実に防止するための光侵入防止構造を有している。
【００１４】
前記収納ケース５４は、円筒形状をその中心軸線５９よりやや上部で中心軸線５９に沿って切断して上面に前記開口５２を有する半割れ円筒形状に形成され、前記一対のサイドフレーム１４、１４に支持される。また、巻取軸１８が収納ケース５４の両端壁中心部に形成された貫通孔（図示せず）を貫通して前記一対のサイドフレーム１４、１４の軸受１６、１６（図２参照）に軸支される。
【００１５】
前記シャッター部材５６は、収納ケース５４の内周面と同程度の大きさの半割れ円筒形状に形成されて収納ケース５２内に収納可能に設けられると共に、図４（図２のＡ部分の拡大図）に示すように、サイドフレーム１４、１４により支持される軸受ケース５８の外周に設けられたシャッター部材用の軸受６０、６０に旋回自在に支持される。このように、シャッター部材５６を旋回させることにより収納ケース５４の開口５２を開閉することができる。
【００１６】
また、遮光ケーシング２６の光侵入防止構造は以下のように構成される。
即ち、シャッター部材５６の両端壁と各サイドフレーム１４、１４の隣接面にはそれぞれ、シャッター部材側突起６２とサイドフレーム側突起６４が形成され、互いの突起６２、６４によりラビリンス構造を形成する。これにより、シャッター部材５６を閉成した時に、シャッター部材５６と各サイドフレーム１４、１４の隣接面の隙間から外部の光が遮光ケーシング２６内に侵入するのを防止する。また、シャッター部材５６に形成される開口６６の周縁及び収納ケース５４に形成される開口５２の周縁には、それぞれシャッター部材５６で収納ケース５４の開口５２を閉成した時にシャッター部材５６と収納ケース５４が密接するためにゴム等の弾性を有するパッキン６８、６９が添設される。これにより、シャッター部材５６で収納ケース５４の開口５２を閉成した時に、シャッター部材５６と収納ケース５４との間に隙間が生じないので外部の光が遮光ケーシング２６内に侵入するのを防止する。更に、シャッター部材５６の一方端側の中心軸線５９方向両端部には、断面が鉤形をした一対のフック部材７０、７０が設けられると共に、フック部材７０は図示しないバネ機構によりシャッター部材５６に対して図中矢印７２方向に揺動可能に支持される。更に、各フック部材７０、７０の上面には把手７４、７４が取り付けられる。一方、収納ケース５４側には前記フック部材７０、７０を引っ掛ける長尺状の係止部材７４が設けられる。これにより、把手７４を握ってシャッター部材５６で収納ケース５４の開口５２を閉成させた後、フック部材７０、７０を係止部材７６に引っ掛けることにより、シャッター部材５６が収納ケース５４の開口５２周縁に押圧した状態でシャッター部材５６の開成動作がロックされる。ちなみに、軸受１６、６０の軸受回りの光侵入防止はシール付のものを使用することで解決される。
【００１７】
次に、上記の如き構成されたウエブロール支持装置１０の作用を説明する。
先ず、ウエブロール支持装置１０の遮光ケーシング２６のシャッター部材５６を開成させた状態で、図示しないウエブロールスリッタ装置により広幅ウエブを細断して形成された狭幅のウエブの先端部を巻芯２０に固定する。そして、ウエブロール支持装置１０の伝動手段２２に外部駆動系を連結して巻取軸１８を巻き取り方向に回転させウエブを巻き取りウエブロール２４を形成する。巻芯２０にウエブを巻き取って所定径のウエブロール２４を形成したらウエブの終端部を接着テープ等の接着部材でウエブロール２４の表面に固定する。
【００１８】
次に、シャッター部材５６に設けられた把手７４を握って、収納ケース５４の開口５２の一方側端部から他方側縁部に向けて引っ張り操作することによりシャッター部材５６を旋回させて収納ケース５４の開口５２を塞ぐ。この閉成操作において、シャッター部材５６の両端壁と各サイドフレーム１４、１４の隣接面はラビリンス構造に形成され、且つシャッター部材５６に形成される開口６６の周縁にはパッキン６８が添設されているので、遮光ケーシング２６内に収納されたウエブロール２４を外界の光から確実に遮断させることができる。
【００１９】
次に、シャッター部材５６に設けられたフック部材７０、７０を揺動させて収納ケース５４の係止部材７６に引っ懸けてロックする。これにより、シャッター部材５６が収納ケース５４の開口５２周縁に押圧接触するので、遮光を更に確実に行うことができると共に、例えばフォークリフト等の運搬手段で保管場所に運搬する場合に、運搬時の振動等でシャッター部材５６が開成しないように、シャッター部材５６をロックすることができる。従って、シャッター部材５６が閉成してウエブロール２４を感光させ、これによりウエブロール２４を不良品化させるのを防止することができる。
【００２０】
次に、保管しているウエブロール２４を使用する場合には、保管場所から搬出して暗室内の巻戻し装置（図示せず）に運搬する。そして、シャッター部材５６のフック部材７０、７０を収納ケース５４の係止部材７６から外してロックを解除し、シャッター部材５６を収納ケース５４の開口５２が開成する方向に旋回させる。そして、遮光ケーシング２６内からウエブロール２４の終端部を取り出して巻戻し装置にセットする。
【００２１】
このように、本発明のウエブロール支持装置１０は、感光材料のウエブロール２４を収納する遮光ケーシングを、簡単で且つ確実に遮光できる構造に構成すると共に、シャッター部材の操作だけで容易に遮光できるようにした。
これにより、本発明のウエブロール支持装置１０は、ウエブロール２４の遮光を容易且つ迅速に行え、遮光ミスが発生することがないので、ウエブロール２４が感光されて不良品が発生することによる生産ロスを著しく低減できる。
【００２２】
また、遮光ケーシング２６は、ウエブロール２４を収納するだけの大きさにできるので、コンパクトになる。
尚、本発明の実施の形態では、収納ケース５４内に収納可能に設けられたシャッター部材５６を旋回させることにより、収納ケース５４の開口５２を開閉させる構造にしたが、シャッター部材５６の一方端にシャッター扉を収納する収納部を設けると共に、収納ケース５４の開口５２の縦方向（中心軸線５８に対して直交する方向）の両縁にシャッター扉を案内するスライド溝を形成するようにしてもよい。また、ロック機構としてフック部材７０と係止部材７６とで構成したが、シャッター部材５６と収納ケース５４の両方に磁石を設けるようにしてもよい。
【００２３】
【発明の効果】
以上説明したように、本発明のウエブロール支持装置によれば、巻芯に巻回されたウエブロールを収納する収納ケースを、巻芯の回りに遮光ケーシングで形成し、巻芯に巻き取られたウエブロールを光密状態で収納保管するようにしたので、ウエブロールを確実に遮光するための遮光ケーシングを、簡単な構造で且つコンパクトに構成することができる。
【００２４】
これにより、ウエブロールの遮光を容易且つ迅速に行え、遮光ミスが発生することがない。従って、ウエブロールが感光されて不良品が発生することによる生産ロスを著しく低減できる。
【図面の簡単な説明】
【図１】図１は、本発明のウエブロール支持装置の側面図で、一部を切り欠いて内部を示した図
【図２】図２は、本発明のウエブロール支持装置の正面図で、一部を切り欠いて内部を示した図
【図３】図３は、遮光ケーシングの構造を説明する説明図で、左側軸受部分で縦方向に切断して内部を示した図
【図４】図４は、図２のＡ部分の拡大図で、遮光ケーシングの光侵入防止構造を説明する図
【符号の説明】
１０…ウエブロール支持装置
１２…底部部材
１４…サイドフレーム
１６、３２、６０…軸受
１８…巻取軸
２０…巻芯
２２…伝動手段
２４…ウエブロール
２６…遮光ケーシング
５２…収納ケースの開口
５４…収納ケース
５６…シャッター部材
６２…遮光ケーシング側突起
６４…サイドフレーム側突起
６６…シャッター部材の開口
６８、６９…パッキン
７０…フック部材
７４…把手
７６…係止部材
【図１】
0003653816.tif 000002
【図２】
0003653816.tif 000003
【図３】
0003653816.tif 000004
【図４】
0003653816.tif 000005